(57)【要約】【課題】魚屋さん等の地域の商店主が広告情報をパソコンに容易に入力して、広告配信ができるようにすること。【解決手段】手書き情報等を入力するＦＡＸ１と、入力された情報をＦＡＸ１から通信回線４を介して受信するセンターサーバ２と、受信した情報をセンターサーバ２から通信回線４を介して複数の情報端末装置に配信する情報配信システムであって、センターサーバ２から配信する情報を情報端末装置３の表示手段６の画面サイズに対応するように情報を変換する情報変換手段５備えている。これによって、家庭用として容易に広告配信ができるようになる。【選択図】  図１
2004151948.tif 000002
【特許請求の範囲】
【請求項１】
手書き情報等を入力するＦＡＸと、入力された情報を前記ＦＡＸから通信回線を介して受信するセンターサーバと、前記受信した情報を前記センターサーバから通信回線を介して複数の情報端末装置に配信する情報配信システムであって、前記センターサーバから配信する情報を前記情報端末装置の表示手段の画面サイズに対応するように情報を変換する情報変換手段を前記センターサーバに備えた情報配信システム。
【請求項２】
センターサーバから複数の情報端末装置に情報を配信する時に、前記情報端末装置の個数に応じて課金する課金手段をセンターサーバに備えた請求項１記載の情報配信システム。
【請求項３】
情報端末装置が情報を受信すれば、受信を報知するお知らせ報知手段を情報端末装置に備えた請求項１記載の情報配信システム。
【発明の詳細な説明】
【０００１】
【発明の属する技術分野】
本発明は、広告等の情報を配信する情報配信システムに関するものである。
【０００２】
【従来の技術】
従来の情報配信システムとしては、特許文献１に記載されたものがある。このシステムは、デイスプレイ装置１と広告すべき内容を入力する入力用データ端末２と通信機能付きデータ処理装置３とを備え、広告主が広告すべき内容を入力用データ端末２から入力すると、通信回線を通して通信機能付きデータ処理装置３に伝送され、このデータ処理装置３にてデイスプレイ用データに変換されてデイスプレイ装置１に出力され、デイスプレイ装置１が直ちに所望の広告内容をデイスプレイするものである。そして、入力用データ端末２はパソコン等から成り、中小企業の小売店や、地域の魚屋、八百屋、肉屋、スーパー、理髪店等に置かれている。また、デイスプレイ装置３は大型テレビや電光掲示板等からなり駅やマンション、デパートの出入り口や共用空間に置かれている。
【０００３】
【特許文献１】
特開平５―３４１７２３号公報（図７）
【０００４】
【発明が解決しようとする課題】
しかしながら、例えば、地域の魚屋さんが広告情報を入力するのに一様にパソコンで入力するのは困難であり、また、広告したい情報をすぐに入力するには大きな壁があり、更に、従来の情報配信システムは、家庭用としてはその構成を充分に考慮されているものではなかった。すなわち、家庭用には、フル画面サイズ（ＶＧＡ）を備えたパソコンやテレビ等もあるが、表示手段を備えた情報端末装置として、ＶＧＡの表示サイズではなく、１／４ＶＧＡサイズのノンＰＣ情報端末装置もある。したがって、地域の商店と家庭を結ぶ情報配信システムを構築するには、従来のシステムの構成では解決できないという課題があった。
【０００５】
【課題を解決するための手段】
上記課題を解決するために本発明は、地域の商店が広告すべき内容を入力する手段として手書きで書いた情報を送信することが可能なＦＡＸを備えており、さらに、センターサーバ内には、ＦＡＸ受信情報を家庭内に設置された情報端末装置の表示手段の画面サイズに対応するように表示情報を変換する情報変換手段を備えたものである。
【０００６】
本発明によれば、従来システムでの課題が解決され、地域の商店から容易に広告を家庭に配信できるようになる。
【０００７】
【発明の実施の形態】
本発明の情報配信システムは、手書き情報等を入力するＦＡＸと、入力された情報を前記ＦＡＸから通信回線を介して受信するセンターサーバと、前記受信した情報を前記センターサーバから通信回線を介して複数の情報端末装置に配信する情報配信システムにおいて、前記センターサーバから配信する情報を前記情報端末装置の表示手段の画面サイズに対応するように情報を変換する情報変換手段を前記センターサーバに備えた構成にしているので、地域のお店から容易に広告を家庭に配信することができる。
【０００８】
また、センターサーバから複数の情報端末装置に情報を配信する時に、前記情報端末装置の個数に応じて課金する課金手段をセンターサーバに備えているので、センター側では、１つの広告を配信した家庭の軒数分に応じて課金でき、情報を配信したお店に対して請求することが可能となる。
【０００９】
また、情報端末装置に、広告等のお知らせが新規に配信された時は、情報端末装置のお知らせ報知手段により報知するので、広告等の更新をすみやかに知らせることが可能となる。
【００１０】
【実施例】
以下、本発明の実施例について図面を参照して説明する。
【００１１】
（実施例１）
図１は本発明の実施例１の情報配信システムの構成図である。図１において、１はＦＡＸ、２はセンターサーバ、３は情報端末装置である。ＦＡＸ１とセンターサーバ２および情報端末装置３はそれぞれ通信回線４で接続されている。ＦＡＸ１とセンーサーバ２は電話回線でも良く、本実施例ではセンターサーバ２と情報端末装置３はインターネット網で接続されている。
【００１２】
また、ＦＡＸ１と情報端末装置３はそれぞれ複数備えた構成としている。情報変換手段５は、センターサーバ２の中に備えており、ＦＡＸ１からの受信情報を家庭に設置された情報端末装置３の表示手段６の表示画面サイズに変換するものである。情報端末装置３は、インターネット常時接続を可能とするＡＤＳＬモデム７との情報の送受信をするＬＡＮ手段８と情報を記憶する記憶手段９と情報を表示する表示手段６と情報を入力する入力手段１０と、ＬＡＮ手段８、記憶手段９、表示手段６、入力手段１０を制御する制御手段１１から構成される。
【００１３】
また、お知らせ報知手段１２（本実施例ではＬＥＤを用いている。以下、お知らせＬＥＤとして述べる）を備えており、新規の広告等を受信すればこのＬＥＤが点灯する構成となっている。このお知らせＬＥＤも制御手段１１が制御する。本実施例では情報端末装置３の表示手段６として４．９インチの１／４ＶＧＡサイズの液晶を搭載し、入力手段１０はタッチパネルで構成されており、液晶前面に配置されている。
【００１４】
次に、動作を説明する。地域のお店である魚屋さんにＦＡＸ１が設置されており、今日はサンマが安いので、広告をすべく、図２のように手書きで紙に広告内容を記入する。記入した紙をＦＡＸ１に入力し通信回線４を介してセンターサーバ２に伝送する。センターサーバ２では、発呼したＦＡＸ１の電話番号から、サーバ２内の顧客管理データベースを検索し、どのお店かが判断できる。受信したＦＡＸ１のＪＰＥＧで圧縮された情報はフル画面サイズであるので、センターサーバ２内の情報変換手段５で１／４ＶＧＡのサイズに変換し、センターサーバ２内のＷｅｂサーバ１３に格納される。
【００１５】
情報端末装置３は、制御手段１１の指示によりＬＡＮ手段８から、インタネット網４を介してセンターサーバ２に定期的に、新規な広告情報がないかをポーリングする構成としている。Ｗｅｂサーバ１３に新規な広告情報が格納されたのを情報端末装置３が認識すると、制御手段１１は、お知らせＬＥＤ１２を点灯させ、情報端末装置３が設置されている家庭の人に新規広告が届いていることを報知する。図３は情報端末装置３のトップ画面表示の内容であり、機器制御１４、広告１５、セキュリテイ１６の３つのアイコンが表示されている。なお、機器制御１４と、セキュリテイ１６は本実施例では関係が無いので説明は省略する。
【００１６】
今、お知らせＬＥＤ１２が点灯しているので、広告１５のアイコンをタッチすると、制御手段１１は、ＬＡＮ手段８からＡＤＳＬモデム７、インターネット網４を介してセンターサーバ２のＷｅｂサーバ１３に格納されている広告ラベル内容をダウンロードし記憶手段９に格納する。そして、情報端末装置３内に搭載されたブラウザを用いて、図４のように表示手段６に表示する。次に、魚屋さん１７の箇所をタッチすると、同様にＷｅｂサーバ１３にアクセスし、魚屋さんラベルとリンクした広告内容をインターネット網４を介してダウンロードし、表示手段６に図５のように表示する。
【００１７】
以上のように本実施例では、広告すべき内容を入力する手段としてＦＡＸを用いているので、ＩＴ関連に全く知識の無い人でも手書き等でも簡単に入力できるとともに、サーバ内に表示情報を家庭内に設置された情報端末装置の表示手段の画面サイズに合わせるようにする情報変換手段を備えているので、家庭用として気軽に広告配信ができるようになる。
【００１８】
（実施例２）
図６は本発明の実施例２の情報配信システムの構成図である。実施例１とほぼ同様の構成であるが、課金手段１８をセンターサーバ２に備えた点が異なる。
【００１９】
実施例１でも述べたが、センターサーバ２では、発呼したＦＡＸ１の電話番号から、サーバ２内の顧客管理データベースを検索し、どのお店が発呼したかが認識できる。そして、同様に顧客管理データベースから、そのお店の顧客を検索し、そのお店の顧客の情報端末装置に該広告を配信すべく、Ｗｅｂサーバ１３に広告ラベル内容を登録する。また、その時に広告を配信したお店に課金するために、広告を配信する顧客の数に応じて課金値を課金手段１８に格納する。本実施例によれば、センター側から広告を配信したお店に広告配信請求を容易に実現することができる。
【００２０】
【発明の効果】
以上の説明から明かなように本発明の情報配信システムによれば、次の効果が得られる。配信すべき内容を入力する手段としてＦＡＸを用いているので、ＩＴ関連については全く知識の無い人でも手書き等でも簡単に入力できるとともに、サーバ内に表示情報を家庭内に設置された情報端末装置の表示手段の画面サイズに合わせるようにする情報変換手段を備えているので、家庭用として容易に広告配信ができるようになる。
【００２１】
また、情報を配信する顧客の数に応じて課金値を設定する課金手段をセンターサーバに備えているので、センター側から情報を配信したお店に広告配信請求を容易に実現することができる。
【００２２】
また、情報端末装置に、情報が新規に配信された時は、情報端末装置のお知らせ報知手段により報知するので、情報が配信されたことを、すみやかに知らせることが可能となる。
【図面の簡単な説明】
【図１】本発明の実施例１の情報配信システムの構成図
【図２】同システムにおける入力情報の一例を示す図
【図３】同システムの情報端末装置の表示トップ画面を示す図
【図４】同システムの情報端末装置の表示画面の一例を示す図
【図５】同システムの情報端末装置の表示画面の別の一例を示す図
【図６】本発明の実施例２の情報配信システムの構成図
【図７】従来の情報配信システムの構成図
【符号の説明】
１  ＦＡＸ
２  センターサーバ
３  情報端末装置
４  通信回線
５  情報変換手段
６  表示手段
１２  お知らせ報知手段
１８  課金手段
【図１】
2004151948.tif 000003
【図２】
2004151948.tif 000004
【図３】
2004151948.tif 000005
【図４】
2004151948.tif 000006
【図５】
2004151948.tif 000007
【図６】
2004151948.tif 000008
【図７】
2004151948.tif 000009